(57)【要約】      （修正有）【課題】光源の劣化を抑制できる照明装置及びプロジェクターを提供する。【解決手段】照明装置３１は、複数の光源装置４１Ａ〜４１Ｄと、複数の光源装置４１Ａ〜４１Ｄのそれぞれから入射される光を所定の反射方向に揃えて反射させる反射装置５と、を備え、複数の光源装置４１Ａ〜４１Ｄは、反射装置５を挟んで互いに反対側に配置され、反射装置５に向けて光を出射する第１光源装置４１Ａ及び第２光源装置４１Ｂを含み、第１光源装置４１Ａ及び第２光源装置４１Ｂは、それぞれの出射光の中心軸が互いに重ならない位置に配置されている。【選択図】図２
2017003795.tif 000002
【特許請求の範囲】
【請求項１】
複数の光源と、
前記複数の光源のそれぞれから入射される光を所定の反射方向に揃えて反射させる反射
装置と、を備え、
前記複数の光源は、前記反射装置を挟んで互いに反対側に配置され、前記反射装置に向
けて光を出射する第１光源及び第２光源を含み、
前記第１光源及び前記第２光源は、それぞれの出射光の中心軸が互いに重ならない位置
に配置されていることを特徴とする照明装置。
【請求項２】
請求項１に記載の照明装置において、
前記複数の光源は、発光管と、
前記発光管から出射された光を反射させるリフレクターと、
前記発光管及び前記リフレクターを収納する収納体と、を備えることを特徴とする照明
装置。
【請求項３】
請求項１又は請求項２に記載の照明装置において、
前記第１光源及び前記第２光源は、それぞれの出射光の中心軸が平行となるように配置
されていることを特徴とする照明装置。
【請求項４】
請求項１から請求項３のいずれか一項に記載の照明装置において、
前記複数の光源は、
前記反射装置に対して前記第１光源の配置側に配置され、前記反射装置に向けて光を出
射する第３光源と、
前記反射装置に対して前記第２光源の配置側に配置され、前記反射装置に向けて光を出
射する第４光源と、を含み、
前記第３光源は、当該第３光源の出射光の中心軸が第２光源及び第４光源のそれぞれの
出射光の中心軸と重ならない位置に配置され、
前記第４光源は、当該第４光源の出射光の中心軸が第１光源及び第３光源のそれぞれの
出射光の中心軸と重ならない位置に配置されていることを特徴とする照明装置。
【請求項５】
請求項４に記載の照明装置において、
前記第１光源から出射される出射光の中心軸、及び、前記第２光源から出射される出射
光の中心軸を含む第１平面と、前記第３光源から出射される出射光の中心軸、及び、前記
第４光源から出射される出射光の中心軸を含む第２平面とは、それぞれ平行であり、かつ
、互いに離間していることを特徴とする照明装置。
【請求項６】
請求項５に記載の照明装置において、
前記第３光源は、前記第１光源からの出射光の進行方向と前記反射方向とに交差する第
１交差方向側から見た場合に、前記第１光源から出射される出射光の中心軸に対して前記
反射方向側にずれて配置され、
前記第４光源は、前記第２光源からの出射光の進行方向と前記反射方向とに交差する第
２交差方向側から見た場合に、前記第２光源から出射される出射光の中心軸に対して前記
反射方向とは反対方向にずれて配置されていることを特徴とする照明装置。
【請求項７】
請求項６に記載の照明装置において、
前記第１交差方向側及び前記第２交差方向側から見て、
前記第２光源及び前記第３光源のそれぞれの出射光の中心軸は重なり、
前記第１光源及び前記第４光源のそれぞれの出射光の中心軸は重なることを特徴とする
照明装置。
【請求項８】
請求項７に記載の照明装置において、
前記反射装置により反射された光を平行化する平行化装置を備え、
前記反射装置は、
前記第１光源から入射される第１光源光を前記反射方向に反射させる第１反射部材と、
前記第２光源から入射される第２光源光を前記反射方向に反射させる第２反射部材と、
前記第３光源から入射される第３光源光を前記反射方向に反射させる第３反射部材と、
前記第４光源から入射される第４光源光を前記反射方向に反射させる第４反射部材と、
を含み、
前記平行化装置は、
前記第１反射部材及び前記第４反射部材と、前記第２反射部材及び前記第３反射部材と
の間に配置され、前記第１反射部材及び前記第４反射部材により反射されて入射される前
記第１光源光及び前記第４光源光を平行化する第１レンズと、
前記第２反射部材及び前記第３反射部材を挟んで前記第１レンズとは反対側に配置され
、前記第２反射部材及び前記第３反射部材により反射されて入射される前記第２光源光及
び前記第３光源光を平行化する第２レンズと、を有することを特徴とする照明装置。
【請求項９】
請求項５に記載の照明装置において、
前記第３光源は、前記第１光源からの出射光の進行方向と前記反射方向とに交差する第
１交差方向側から見た場合に、前記第１光源と重なって配置され、
前記第４光源は、前記第２光源からの出射光の進行方向と前記反射方向とに交差する第
２交差方向側から見た場合に、前記第２光源と重なって配置されていることを特徴とする
照明装置。
【請求項１０】
請求項９に記載の照明装置において、
前記第１交差方向側から見て、前記第１光源及び前記第３光源のそれぞれの出射光の中
心軸は重なり、
前記第２交差方向側から見て、前記第２光源及び前記第４光源のそれぞれの出射光の中
心軸は重なることを特徴とする照明装置。
【請求項１１】
請求項１０に記載の照明装置において、
前記反射装置により反射された光を平行化する平行化装置を備え、
前記反射装置は、
前記第１光源から入射される第１光源光を前記反射方向に反射させる第１反射部材と、
前記第２光源から入射される第２光源光を前記反射方向に反射させる第２反射部材と、
前記第３光源から入射される第３光源光を前記反射方向に反射させる第３反射部材と、
前記第４光源から入射される第４光源光を前記反射方向に反射させる第４反射部材と、
を含み、
前記平行化装置は、
前記第１反射部材及び前記第３反射部材と、前記第２反射部材及び前記第４反射部材と
の間に配置され、前記第１反射部材及び前記第３反射部材により反射されて入射される前
記第１光源光及び前記第３光源光を平行化する第１レンズと、
前記第２反射部材及び前記第４反射部材を挟んで前記第１レンズとは反対側に配置され
、前記第２反射部材及び前記第４反射部材により反射されて入射される前記第２光源光及
び前記第４光源光を平行化する第２レンズと、を有することを特徴とする照明装置。
【請求項１２】
請求項８又は請求項１１に記載の照明装置において、
前記第１レンズの曲率と、前記第２レンズの曲率とは、異なることを特徴とする照明装
置。
【請求項１３】
請求項１から請求項１２のいずれか一項に記載の照明装置と、
前記照明装置から出射された光を変調する光変調装置と、
前記光変調装置により変調された光を投射する投射光学装置と、を備えることを特徴と
するプロジェクター。
【発明の詳細な説明】
【技術分野】
【０００１】
本発明は、照明装置及びプロジェクターに関する。
【背景技術】
【０００２】
従来、照明装置と、当該照明装置から出射された光を変調して画像情報に応じた画像を
形成する光変調装置と、当該画像をスクリーン等の被投射面上に拡大投射する投射光学装
置と、を備えたプロジェクターが知られている。
このようなプロジェクターとして、複数の光源ランプユニットから出射された光を合成
して照明光を出射する照明装置を備えたプロジェクターが知られている（例えば、特許文
献１参照）。
【０００３】
この特許文献１に記載のプロジェクターの照明装置は、第１の光源ランプユニット、第
２の光源ランプユニット、合成ミラー及び平行化レンズを備えている。これらのうち、第
１の光源ランプユニット及び第２の光源ランプユニットは、合成ミラーを挟んで互いに対
向するように配置され、当該合成ミラーにて同方向に反射された各光源ランプユニットの
光は、平行化レンズによって平行化された後、照明装置外に出射される。
【先行技術文献】
【特許文献】
【０００４】
【特許文献１】特開２０１０−１６４７３１号公報
【発明の概要】
【発明が解決しようとする課題】
【０００５】
このような特許文献１に記載の照明装置では、第１の光源ランプユニット及び第２の光
源ランプユニットがそれぞれ対向する位置に配置されているので、第１の光源ランプユニ
ット及び第２の光源ランプユニットのうち一方から出射された光が他方に入射される可能
性がある。このような場合、光源ランプユニット内に配置された発光管では、当該光によ
って生じる熱の他、紫外線の影響により劣化が進むという問題がある。
【０００６】
本発明は、上述の課題の少なくとも一部を解決することを目的としたものであり、光源
の劣化を抑制できる照明装置及びプロジェクターを提供することを目的の１つとする。
【課題を解決するための手段】
【０００７】
本発明の第１態様に係る照明装置は、複数の光源と、前記複数の光源のそれぞれから入
射される光を所定の反射方向に揃えて反射させる反射装置と、を備え、前記複数の光源は
、前記反射装置を挟んで互いに反対側に配置され、前記反射装置に向けて光を出射する第
１光源及び第２光源を含み、前記第１光源及び前記第２光源は、それぞれの出射光の中心
軸が互いに重ならない位置に配置されていることを特徴とする。
【０００８】
なお、上記光源としては、発光管、ＬＥＤ（Light Emitting Diode）及びＬＤ（Laser 
Diode）等の固体光源、当該固体光源とリフレクターとにより構成される光源装置、又は
、当該固体光源、リフレクター、及びこれらを収納する収納体（ハウジング）により構成
される光源装置を例示でき、上記反射装置としては、反射部材（反射ミラー）を備える反
射装置を例示することができる。
上記第１態様によれば、それぞれの出射光の中心軸が互いに重ならないことから、第１
光源及び第２光源は、互いにずれて配置される。これによれば、当該第１光源及び第２光
源の一方を、他方の照射領域から外れた領域を含むように配置することができる。このた
め、第１光源に入射する第２光源からの出射光の量を減少させることができ、かつ、第２
光源に入射する第１光源からの出射光の量を減少させることができる。従って、反対側に
配置された光源からの出射光が入射されることにより、光源の温度が上昇することによる
発光効率の低下、及び上記出射光に基づく熱による光源の劣化を抑制できる。
【０００９】
上記第１態様では、前記複数の光源は、発光管と、前記発光管から出射された光を反射
させるリフレクターと、前記発光管及び前記リフレクターを収納する収納体と、を備える
ことが好ましい。
上記第１態様では、複数の光源が発光管、リフレクター及び収納体を備えるので、例え
ば、反対側に配置された光源からの出射光のうちリフレクターに入射する出射光の量を減
少することができ、さらにリフレクターに入射した出射光のうち発光管に至る光の量を減
少することができる。これによれば、反対側に配置された光源からの出射光が入射される
ことにより、当該出射光に基づく熱及び紫外線による第１光源及び第２光源の劣化を抑制
できる。
【００１０】
上記第１態様では、前記第１光源及び前記第２光源は、それぞれの出射光の中心軸が平
行となるように配置されていることが好ましい。
上記第１態様では、第１光源及び第２光源のそれぞれから出射される出射光の中心軸が
平行であるため、第１光源及び第２光源からの出射光は、反射装置に対して同一の角度で
入射される。このため、第１光源及び第２光源からの出射光に対して反射部材を互いに４
５度として設定できる。これによれば、いずれの反射部材も角度に対する照射位置の移動
量が同じであまり大きく移動しないので、第１光源、第２光源及び反射部材の配置を容易
に調整できる。
【００１１】
上記第１態様では、前記複数の光源は、前記反射装置に対して前記第１光源の配置側に
配置され、前記反射装置に向けて光を出射する第３光源と、前記反射装置に対して前記第
２光源の配置側に配置され、前記反射装置に向けて光を出射する第４光源と、を含み、前
記第３光源は、当該第３光源の出射光の中心軸が第２光源及び第４光源のそれぞれの出射
光の中心軸と重ならない位置に配置され、前記第４光源は、当該第４光源の出射光の中心
軸が第１光源及び第３光源のそれぞれの出射光の中心軸と重ならない位置に配置されてい
ることが好ましい。
【００１２】
上記第１態様によれば、第１光源及び第３光源に第２光源及び第４光源から出射された
出射光が入射されることを抑制でき、第２光源及び第４光源に第１光源及び第３光源から
出射された出射光が入射されることを抑制できる。すなわち、第１光源、第２光源、第３
光源及び第４光源のそれぞれに第１光源、第２光源、第３光源及び第４光源のうち対応す
る光源から出射された出射光のうち入射する出射光の量を減少させることができる。従っ
て、光源の劣化を確実に抑制できる。
【００１３】
上記第１態様では、前記第１光源から出射される出射光の中心軸、及び、前記第２光源
から出射される出射光の中心軸を含む第１平面と、前記第３光源から出射される出射光の
中心軸、及び、前記第４光源から出射される出射光の中心軸を含む第２平面とは、それぞ
れ平行であり、かつ、互いに離間していることが好ましい。
上記第１態様によれば、第１光源及び第２光源は、照明装置内において同じ高さに配置
され、第３光源及び第４光源は、上記第１光源及び第２光源と異なる高さに配置されるの
で、第１光源、第２光源、第３光源及び第４光源のそれぞれに第１光源、第２光源、第３
光源及び第４光源のうち対応する光源から出射された出射光のうち入射される出射光の量
を減少させることができる。従って、光源の劣化を確実に抑制できる。
【００１４】
上記第１態様では、前記第３光源は、前記第１光源からの出射光の進行方向と前記反射
方向とに交差する第１交差方向側から見た場合に、前記第１光源から出射される出射光の
中心軸に対して前記反射方向側にずれて配置され、前記第４光源は、前記第２光源からの
出射光の進行方向と前記反射方向とに交差する第２交差方向側から見た場合に、前記第２
光源から出射される出射光の中心軸に対して前記反射方向とは反対方向にずれて配置され
ていることが好ましい。
【００１５】
ここで、第２光源が第１光源に対して上記反射方向とは反対方向側に位置している場合
、上記第１交差方向側及び第２交差方向側から見た場合に、第１光源、第２光源、第３光
源及び第４光源から出射される各出射光の中心軸が重なることが無い。また、第２光源が
第１光源に対して上記反射方向側に位置している場合、上記第１交差方向側及び第２交差
方向側から見た場合、第２光源と第３光源との中心軸が重なる可能性及び第１光源と第４
光源との中心軸が重なる可能性があるが、第１光源及び第２光源の上記高さ位置と第３光
源及び第４光源の上記高さ位置とが異なる。このため、上記いずれの場合であっても、第
１光源、第２光源、第３光源及び第４光源のそれぞれに第１光源、第２光源、第３光源及
び第４光源のうち対応する光源から出射された出射光が入射されることを確実に抑制でき
る。従って、光源の劣化を確実に抑制できる。
また、第２光源が第１光源から出射される出射光の中心軸に対して上記反射方向側に位
置している場合において、例えば、第２光源と第３光源との中心軸及び第１光源と第４光
源との中心軸の少なくともいずれか一方が重なるように配置される場合、上記高さ方向に
直交する方向の寸法は、上記第１光源及び第２光源と第３光源及び第４光源とが重なるよ
うに配置されていない場合、すなわち、第２光源が第１光源から出射される出射光の中心
軸に対して上記反射方向とは反対方向側に位置している場合に比べて小さくなる。従って
、照明装置を小型化できる。
【００１６】
上記第１態様では、前記第１交差方向側及び前記第２交差方向側から見て、前記第２光
源及び前記第３光源のそれぞれの出射光の中心軸は重なり、前記第１光源及び前記第４光
源のそれぞれの出射光の中心軸は重なることが好ましい。
上記第１態様によれば、上記第１交差方向側及び上記第２交差方向側から見て、第１光
源及び第４光源の出射光の中心軸が重なり、第２光源及び第３光源の出射光の中心軸が重
なるように配置されるので、上記高さ方向に直交する方向の寸法は、上記第１光源及び第
３光源の出射光の中心軸、並びに、上記第２光源及び第３光源の出射光の中心軸が重なら
ないように配置されている場合に比べて小さくなる。従って、照明装置を確実に小型化で
きる。
【００１７】
上記第１態様では、前記反射装置により反射された光を平行化する平行化装置を備え、
前記反射装置は、前記第１光源から入射される第１光源光を前記反射方向に反射させる第
１反射部材と、前記第２光源から入射される第２光源光を前記反射方向に反射させる第２
反射部材と、前記第３光源から入射される第３光源光を前記反射方向に反射させる第３反
射部材と、前記第４光源から入射される第４光源光を前記反射方向に反射させる第４反射
部材と、を含み、前記平行化装置は、前記第１反射部材及び前記第４反射部材と、前記第
２反射部材及び前記第３反射部材との間に配置され、前記第１反射部材及び前記第４反射
部材により反射されて入射される前記第１光源光及び前記第４光源光を平行化する第１レ
ンズと、前記第２反射部材及び前記第３反射部材を挟んで前記第１レンズとは反対側に配
置され、前記第２反射部材及び前記第３反射部材により反射されて入射される前記第２光
源光及び前記第３光源光を平行化する第２レンズと、を有することが好ましい。
【００１８】
上記第１態様によれば、第１反射部材及び第４反射部材により反射された第１光源光及
び第４光源光を第１レンズにより平行化して出射させることができる。また、第２反射部
材及び第３反射部材により反射された第２光源光及び第３光源光を第２レンズにより平行
化して出射させることができる。
なお、第２レンズが平行化された第１光源光及び第４光源光を透過させる透過領域を有
する場合、第２光源光が入射される平行化レンズ領域と、第３光源光が入射される平行化
レンズ領域と、第１光源光及び第４光源光を透過させる透過領域とを有する１つの部材と
して、第２レンズを構成できるので、取り付け及び設置を簡易に実施できる。これにより
、例えば、当該照明装置がプロジェクターに採用される場合、上記平行化された第１〜第
４光源光を画像形成装置に供給できる。
【００１９】
上記第１態様では、前記第３光源は、前記第１光源からの出射光の進行方向と前記反射
方向とに交差する第１交差方向側から見た場合に、前記第１光源と重なって配置され、前
記第４光源は、前記第２光源からの出射光の進行方向と前記反射方向とに交差する第２交
差方向側から見た場合に、前記第２光源と重なって配置されていることが好ましい。
上記第１態様によれば、第１光源が第３光源と重なって配置され、かつ、第２光源が第
４光源と重なって配置されるので、第１光源、第２光源、第３光源及び第４光源のそれぞ
れに第１光源、第２光源、第３光源及び第４光源のうち対応する光源から出射された出射
光のうち入射される出射光の量を確実に減少させることができる。従って、光源の劣化を
確実に抑制できる。
また、第１光源及び第２光源のうち一方の出射光が他方に入射しない程度に、これら第
１光源及び第２光源の反射方向における互いの配置位置を近付けることができ、かつ、第
３光源及び第４光源の反射方向における互いの配置位置を近付けることができるので、第
１光源、第２光源、第３光源及び第４光源のそれぞれが上記反射方向にずれて配置される
場合に比べて、照明装置の反射方向おける寸法を小さくできる。従って、照明装置を小型
化できる。
【００２０】
上記第１態様では、前記第１交差方向側から見て、前記第１光源及び前記第３光源のそ
れぞれの出射光の中心軸は重なり、前記第２交差方向側から見て、前記第２光源及び前記
第４光源のそれぞれの出射光の中心軸は重なることが好ましい。
上記第１態様によれば、第１光源及び第３光源から出射された光の中心軸がずれており
、かつ、第２光源及び第４光源から出射された光の中心軸がずれている場合に比べて、照
明装置の上記反射方向に沿う方向の寸法をより小さくできる。従って、照明装置をより小
型化できる。
【００２１】
上記第１態様では、前記反射装置により反射された光を平行化する平行化装置を備え、
前記反射装置は、前記第１光源から入射される第１光源光を前記反射方向に反射させる第
１反射部材と、前記第２光源から入射される第２光源光を前記反射方向に反射させる第２
反射部材と、前記第３光源から入射される第３光源光を前記反射方向に反射させる第３反
射部材と、前記第４光源から入射される第４光源光を前記反射方向に反射させる第４反射
部材と、を含み、前記平行化装置は、前記第１反射部材及び前記第３反射部材と、前記第
２反射部材及び前記第４反射部材との間に配置され、前記第１反射部材及び前記第３反射
部材により反射されて入射される前記第１光源光及び前記第３光源光を平行化する第１レ
ンズと、前記第２反射部材及び前記第４反射部材を挟んで前記第１レンズとは反対側に配
置され、前記第２反射部材及び前記第４反射部材により反射されて入射される前記第２光
源光及び前記第４光源光を平行化する第２レンズと、を有することが好ましい。
【００２２】
上記第１態様によれば、第１反射部材及び第３反射部材により反射された第１光源光及
び第３光源光を第１レンズにより平行化して出射させることができる。また、第２反射部
材及び第４反射部材により反射された第２光源光及び第４光源光を第２レンズにより平行
化して出射させることができる。
なお、第２レンズが平行化された第１光源光及び第３光源光を透過させる透過領域を有
する場合、第２光源光が入射される平行化レンズ領域と、第４光源光が入射される平行化
レンズ領域と、第１光源光及び第３光源光を透過させる透過領域とを有する１つの部材と
して、第２レンズを構成できるので、取り付け及び設置を簡易に実施できる。これにより
、例えば、当該照明装置がプロジェクターに採用される場合、上記平行化された第１〜第
４光源光を画像形成装置に供給できる。
【００２３】
上記第１態様では、前記第１レンズの曲率と、前記第２レンズの曲率とは、異なること
が好ましい。
ここで、第１レンズは、第２レンズよりも上記反射方向側に配置されるので、第１レン
ズの曲率と第２レンズの曲率とが同一である場合、第１レンズにより平行化された光が照
明装置から出射される際には、第２レンズにより平行化された光に比べて、拡散するおそ
れがある。
これに対し、第１レンズの曲率が第２レンズの曲率より大きい場合、第１レンズにより
平行化された出射光は、第２レンズにより平行化された出射光より若干集光された状態で
平行化されるので、第１レンズにより平行化された光が拡散したとしても、第１レンズに
より平行化された光と、第２レンズにより平行化された光と、が均一になる可能性を高め
ることができる。
【００２４】
本発明の第２態様に係るプロジェクターは、上述の照明装置と、前記照明装置から出射
された光を変調する光変調装置と、前記光変調装置により変調された光を投射する投射光
学装置と、を備えることを特徴とする。
上記第２態様によれば、上記第１態様に係る照明装置と同様の効果を奏することができ
る。また、上記照明装置の光源の劣化が抑制できるので、照明装置、ひいては当該照明装
置を備えるプロジェクターの劣化を抑制できる。
【図面の簡単な説明】
【００２５】
【図１】本発明の第１実施形態に係るプロジェクターを示す概略斜視図。
【図２】上記第１実施形態に係るプロジェクターの内部構成を示す模式図。
【図３】上記第１実施形態に係る照明装置を構成する光源装置の断面図。
【図４】上記第１実施形態に係る照明装置の構成を示す模式図。
【図５】上記第１実施形態に係る各光源装置から出射される光の出射方向に沿う方向から当該光源装置を見た模式図。
【図６】上記第１実施形態に係る照明装置を光の出射方向とは反対方向側から見た図。
【図７】上記第１実施形態に係る第１及び第２反射ミラー及び第１レンズを取り外した状態の照明装置を光の出射方向とは反対方向側から見た図。
【図８】上記第１実施形態に係る照明装置の第１レンズを示す模式図。
【図９】上記第１実施形態に係る照明装置の第２レンズを示す模式図。
【図１０】本発明の第２実施形態に係るプロジェクターの内部構成を示す模式図。
【図１１】上記第２実施形態に係るプロジェクターの照明装置を光の出射方向とは反対方向側から見た図。
【図１２】上記第２実施形態に係る第１及び第２反射ミラー及び第１レンズを取り外した状態の照明装置を光の出射方向とは反対方向側から見た図。
【図１３】本発明の第３実施形態に係るプロジェクターの内部構成を示す模式図。
【発明を実施するための形態】
【００２６】
［第１実施形態］
以下、本発明の第１実施形態について、図面に基づいて説明する。
［プロジェクターの外観構成］
図１は、本実施形態に係るプロジェクター１を示す概略斜視図である。
本実施形態に係るプロジェクター１は、後述する照明装置３１から出射される光を変調
して画像情報に応じた画像を形成し、当該画像をスクリーン等の被投射面上に拡大投射す
る投射型表示装置である。
このプロジェクター１は、４つの光源装置４１Ａ〜４１Ｄ（図２参照）を備えた複灯型
のプロジェクターである。これら４つの光源装置４１Ａ〜４１Ｄから出射された光は、詳
しくは後述するが、反射装置５によって同方向に反射されて照明装置３１から出射され、
複数の光学部品を介して、光変調装置に入射される。
【００２７】
［外装筐体の構成］
外装筐体２は、天面部２１、底面部２２、正面部２３、背面部２４及び左右の側面部２
５，２６を有する略直方体形状に形成されている。
天面部２１には、使用者がプロジェクター１を把持したり、天井等に設置された器具に
プロジェクター１を固定したりする際に利用される一対の把手２１１が設けられている。
底面部２２には、図示を省略するが、設置台等の設置面上に載置される際に、当該設置
面と接触する脚部が設けられている。
正面部２３には、後述する画像形成装置３を構成する投射光学装置３５の一部が露出す
る開口部２３１が形成されている。
背面部２４には、後述する第１ランプユニット４Ａ、第２ランプユニット４Ｂ（図２参
照）及び反射装置５（図２参照）を外装筐体２内に交換可能に収納するための開口部（図
示省略）が形成され、当該開口部は、カバー部材（図示省略）によって覆われている。
これらの他、図示を省略するが、右側の側面部２６には、外装筐体２外の空気を内部に
導入する導入口が形成され、左側の側面部２５には、外装筐体２内の空気を外部に排出す
る排気口が形成されている。
【００２８】
［プロジェクターの内部構成］
図２は、プロジェクター１の内部構成を示す模式図である。
プロジェクター１は、上記外装筐体２の他、図２に示すように、当該外装筐体２内に配
置される画像形成装置３を備える。この他、図示を省略するが、プロジェクター１は、当
該プロジェクター１の構成部品を冷却する冷却装置、当該プロジェクター１全体の動作を
制御する制御装置、及び、当該プロジェクター１を構成する電子部品に電力を供給する電
源装置を備える。
【００２９】
［画像形成装置の構成］
画像形成装置３は、上記制御装置から入力される画像情報に応じた画像を形成及び投射
する。この画像形成装置３は、照明装置３１、均一化装置３２、色分離装置３３、電気光
学装置３４、投射光学装置３５、ベース部材３６及び光学部品用筐体３７を備える。
これらのうち、光学部品用筐体３７に接続されるベース部材３６は、照明装置３１を収
納固定する機能を有する。
また、光学部品用筐体３７は、内部に照明光軸Ａｘが設定された箱状筐体であり、均一
化装置３２及び色分離装置３３は、光学部品用筐体３７内における照明光軸Ａｘ上の位置
に配置される。また、照明装置３１、電気光学装置３４及び投射光学装置３５は、光学部
品用筐体３７外に位置するものの当該照明光軸Ａｘに応じて配置される。
この照明装置３１は、均一化装置３２に平行光を出射する。この照明装置３１の構成に
ついては、後に詳述する。
【００３０】
均一化装置３２は、照明装置３１から出射された光束の中心軸に対する直交面内の照度
を均一化する。この均一化装置３２は、シネマフィルター３２１、第１レンズアレイ３２
２、ＵＶフィルター３２３、第２レンズアレイ３２４、偏光変換素子３２５及び重畳レン
ズ３２６を有する。
これらのうち、偏光変換素子３２５は、入射された光の偏光方向を一種類に揃えるもの
である。
色分離装置３３は、均一化装置３２から入射される光束を、赤（Ｒ）、緑（Ｇ）及び青
（Ｂ）の３つの色光に分離する。この色分離装置３３は、ダイクロイックミラー３３１，
３３２、反射ミラー３３３〜３３６及びリレーレンズ３３７，３３８を有する。
【００３１】
電気光学装置３４は、分離された各色光を画像情報に応じて変調した後、変調された各
色光を合成する。この電気光学装置３４は、それぞれ色光毎に設けられる光変調装置とし
ての液晶パネル３４１（赤、緑及び青用の液晶パネルを、それぞれ３４１Ｒ，３４１Ｇ，
３４１Ｂとする）、入射側偏光板３４２及び出射側偏光板３４３と、１つの色合成装置３
４４と、を有する。これらのうち、色合成装置３４４としては、ダイクロイックプリズム
を採用できる。
投射光学装置３５は、色合成装置３４４により合成された光束（画像を形成する光束）
を上記被投射面上に拡大投射する投射レンズである。このような投射光学装置３５として
は、鏡筒内に複数のレンズが配置された組レンズを採用できる。
【００３２】
［照明装置の構成］
照明装置３１は、図２に示すように、第１ランプユニット４Ａ及び第２ランプユニット
４Ｂのそれぞれに固定される複数の光源装置を有する。この複数の光源装置は、本発明の
複数の光源（第１〜第４光源）に相当し、本実施形態では、４つの光源装置４１（４１Ａ
〜４１Ｄ）を有する。この他、照明装置３１は、各光源装置４１Ａ〜４１Ｄから出射され
た光を同方向に反射させて、これら光を当該一方向に揃えて出射する反射装置５を備える
。
【００３３】
［光源装置の構成］
図３は、光源装置４１の構成を示す断面図である。
光源装置４１は、それぞれ、図２及び図３に示すように、発光管４１１と、当該発光管
４１１の一端側に位置する封止部４１１２に固定されるリフレクター４１２と、これらを
内部に収納する収納体４１３と、を備える。これらのうち、リフレクター４１２は、発光
管４１１の発光部４１１１から出射された光を一方に揃えて出射するものであり、本実施
形態では、反射面４１２１が楕円面である楕円面リフレクターとして構成されている。こ
のため、リフレクター４１２の第１焦点に位置する発光部４１１１から入射されて反射面
４１２１にて反射された光は、リフレクター４１２の第２焦点に収束する。
【００３４】
収納体４１３は、リフレクター４１２の反射面４１２１と対向する正面部４１３Ａに、
当該リフレクター４１２にて反射された光、及び、発光部４１１１から直接入射される光
が通過する開口部４１３１が形成されている。この開口部４１３１は、発光部４１１１の
中心を通り、かつ、発光管４１１の中心軸に沿う仮想線を中心として形成されている。
ここで、上記のように、リフレクター４１２は、楕円面リフレクターであるため、当該
リフレクター４１２にて反射された光は上記第２焦点に収束するので、収納体４１３の正
面部４１３Ａに到達する際の反射光の断面積は、リフレクター４１２の開口面より小さい
。
このため、正面部４１３Ａに形成された開口部４１３１の開口面積は、当該反射光が通
過可能な寸法に設定されており、リフレクター４１２の開口面の面積より小さい。
【００３５】
［光源装置の配置］
図４は、光源装置４１Ａ〜４１Ｄの配置を示す模式図である。
上記構成を有する光源装置４１（４１Ａ〜４１Ｄ）のうち、光源装置４１Ａ，４１Ｃと
、光源装置４１Ｂ，４１Ｄとは、図４に示すように、反射装置５を挟んで互いに反対側に
配置され、これら光源装置４１Ａ〜４１Ｄは、それぞれ、当該反射装置５に向けて光を出
射する。この光源装置４１Ａは、本発明の第１光源に相当し、光源装置４１Ｂは、本発明
の第２光源に相当し、光源装置４１Ｃは、本発明の第３光源に相当し、光源装置４１Ｄは
、本発明の第４光源に相当する。
なお、以下の説明では、照明装置３１による光の出射方向をＺ方向とし、当該Ｚ方向に
それぞれ直交し、かつ、互いに直交する方向をＸ方向及びＹ方向とする。本実施形態では
、Ｚ方向は、背面部２４から正面部２３に向かう方向であることから、Ｘ方向を左側面部
２５から右側面部２６に向かう方向とし、Ｙ方向を底面部２２から天面部２１に向かう方
向として説明する。
【００３６】
詳述すると、光源装置４１Ａ，４１Ｃは、反射装置５に対してＸ方向側に配置され、光
源装置４１Ｂ，４１Ｄは、反射装置５に対してＸ方向とは反対側に位置する。そして、光
源装置４１Ａ，４１Ｃは、それぞれ、光の出射方向がＸ方向とは反対方向に沿うように配
置され、光源装置４１Ｂ，４１Ｄは、それぞれ、光の出射方向がＸ方向に沿うように配置
される。
これらのうち、光源装置４１Ａ及び光源装置４１Ｃは、Ｙ方向に沿う方向から見て、Ｚ
方向に沿う方向に沿って並んで配置される。具体的に、光源装置４１Ｃは、Ｙ方向に沿う
方向から見て、光源装置４１ＡよりＺ方向側に配置される。同様に、光源装置４１Ｂ及び
光源装置４１Ｄは、Ｙ方向に沿う方向から見て、Ｚ方向に沿って並んで配置される。具体
的に、光源装置４１Ｄは、Ｙ方向に沿う方向から見て、Ｚ方向とは反対方向側に配置され
る。同様に、光源装置４１Ｂ及び光源装置４１Ｄは、Ｙ方向に沿う方向から見て、Ｚ方向
に並んで配置される。具体的に、光源装置４１Ｄは、Ｙ方向に沿う方向から見て、光源装
置４１ＢよりＺ方向とは反対方向側に配置される。これにより、光源装置４１Ａ及び光源
装置４１Ｃから出射された出射光Ｌ１１，Ｌ３１は、Ｘ方向とは反対方向に向けて出射さ
れ、光源装置４１Ｂ及び光源装置４１Ｄから出射された出射光Ｌ２１，Ｌ４１は、Ｘ方向
に向けて出射される。
【００３７】
図５は、Ｘ方向に沿う方向から光源装置４１Ａ〜４１Ｄを見た模式図である。なお、図
５では、当該光源装置４１Ａ〜４１Ｄの位置関係がわかりやすくなるように、光源装置４
１Ａ〜４１Ｄにおける収納体４１３及び開口部４１３１のみを示している。また、光源装
置４１Ａ，４１Ｃが収納される収納体４１３の開口部４１３１を実線にて示し、光源装置
４１Ｂ，４１Ｄが収納される収納体４１３の開口部４１３１を破線にて示している。
【００３８】
収納体４１３のＹ方向に沿う方向の寸法は、図３〜図５に示すように、開口部４１３１
の同方向の寸法より大きい。このため、本実施形態では、光源装置４１Ａの照射領域から
外れた領域を含むように光源装置４１Ｄを配置する場合、光源装置４１Ａにおける収納体
４１３の開口部４１３１と光源装置４１Ｄにおける収納体４１３の開口部４１３１とが一
部重なるようにそれぞれのＹ方向に沿う方向の位置が異なる状態で配置される。これと同
様に、光源装置４１Ｂの照射領域から外れた領域を含むように光源装置４１Ｃを配置する
場合も、光源装置４１Ｂにおける収納体４１３の開口部４１３１と光源装置４１Ｃにおけ
る収納体４１３の開口部４１３１とが一部重なるようにそれぞれのＹ方向に沿う方向の位
置が異なる状態で配置される。
【００３９】
ここで、光源装置４１における発光管４１１の中心軸に沿う軸は、本発明の出射光の中
心軸に相当する。このため、以下の説明では、光源装置４１Ａの出射光Ｌ１１の中心軸を
中心軸Ｐ１、光源装置４１Ｂの出射光Ｌ２１の中心軸を中心軸Ｐ２、光源装置４１Ｃの出
射光Ｌ３１の中心軸を中心軸Ｐ３及び光源装置４１Ｄの出射光Ｌ４１の中心軸を中心軸Ｐ
４として説明する。
光源装置４１Ａから出射される出射光Ｌ１１の中心軸Ｐ１及び光源装置４１Ｂから出射
される出射光Ｌ２１の中心軸Ｐ２を含む第１平面Ｈ１は、図５に示すように、光源装置４
１Ｃから出射される出射光Ｌ３１の中心軸Ｐ３及び光源装置４１Ｄから出射される出射光
Ｌ４１の中心軸Ｐ４を含む第２平面Ｈ２とは、それぞれ平行であり、かつ、離間している
。すなわち、光源装置４１Ａ及び光源装置４１Ｂは、Ｙ方向に沿う方向では略同一の位置
に配置され、光源装置４１Ｃ及び光源装置４１Ｄは、Ｙ方向に沿う方向では上記光源装置
４１Ａ，４１Ｂとは異なる略同一の位置に配置される。
【００４０】
このように、光源装置４１Ａ及び光源装置４１Ｄ、光源装置４１Ｂ及び光源装置４１Ｃ
のそれぞれは、Ｙ方向に沿う方向にずれて配置されるので、光源装置４１Ａ，４１Ｃの開
口部４１３１から出射された出射光Ｌ１１，Ｌ３１が光源装置４１Ｂ，４１Ｄの開口部４
１３１を介して、発光管４１１に入射される可能性、並びに、光源装置４１Ｂ，４１Ｄの
開口部４１３１から出射された出射光Ｌ２１，Ｌ４１が光源装置４１Ａ，４１Ｃの開口部
４１３１を介して、発光管４１１に入射される可能性が極めて低い。
なお、光源装置４１Ａからの出射光Ｌ１１の光軸と光源装置４１Ｄからの出射光Ｌ４１
の光軸とは、Ｚ方向に沿う方向においては一致し、光源装置４１Ｂからの出射光Ｌ２１の
光軸と光源装置４１Ｃからの出射光Ｌ３１の光軸とは、Ｚ方向に沿う方向においては一致
する。すなわち、出射光Ｌ１１〜Ｌ４１の光軸が平行であり、かつ、重ならないように光
源装置４１Ａ〜４１Ｄが配置される。
【００４１】
このように配置された光源装置４１Ａ〜４１Ｄのうち、光源装置４１Ａから出射された
出射光Ｌ１１は、反射装置５の反射ミラー５７Ａに入射され、光源装置４１Ｂから出射さ
れた出射光Ｌ２１は、反射ミラー５７Ｂに入射される。また、光源装置４１Ｃから出射さ
れた出射光Ｌ３１は、反射ミラー５７Ｃに入射され、光源装置４１Ｄから出射された出射
光Ｌ４１は、反射ミラー５７Ｄに入射される。
【００４２】
［反射装置の構成］
反射装置５は、上記のように、各光源装置４１（４１Ａ〜４１Ｄ）から入射される出射
光Ｌ１１〜Ｌ４１をＺ方向に揃えて出射し、当該光を上記均一化装置３２に入射させる。
この反射装置５は、各光源装置４１（４１Ａ〜４１Ｄ）に応じて設けられる反射ミラー５
７（５７Ａ〜５７Ｄ）と、第１レンズ５８及び第２レンズ５９と、を有する。
反射ミラー５７Ａは、光源装置４１Ａから入射される光をＺ方向に反射させる。また、
反射ミラー５７Ｂは、光源装置４１Ｂから入射される光をＺ方向に反射させる。更に、反
射ミラー５７Ｃは、光源装置４１Ｃから入射される光をＺ方向に反射させる。加えて、反
射ミラー５７Ｄは、光源装置４１Ｄから入射される光をＺ方向に反射させる。すなわち、
反射ミラー５７Ａ〜５７Ｄは、入射された光をＺ方向（本発明の所定の反射方向に相当す
る方向）に反射させる機能を有する。また、これら反射された光は、第１及び第２レンズ
５８，５９を介して均一化装置３２に入射される。
【００４３】
反射ミラー５７Ａ及び反射ミラー５７Ｄは、図４に示すように、光源装置４１Ａと光源
装置４１Ｄとの間に配置され、反射ミラー５７Ｂ及び反射ミラー５７Ｃは、光源装置４１
Ｂと光源装置４１Ｃとの間に配置される。また、反射ミラー５７Ａ，５７Ｄと反射ミラー
５７Ｂ，５７Ｃとの間には、第１レンズ５８が配置され、反射ミラー５７Ｂ，５７ＣのＺ
方向側に第２レンズ５９が配置される。
なお、反射ミラー５７Ａは、本発明の第１反射部材に相当し、反射ミラー５７Ｂは、本
発明の第２反射部材に相当し、反射ミラー５７Ｃは、本発明の第３反射部材に相当し、反
射ミラー５７Ｄは、本発明の第４反射部材に相当する。
【００４４】
［反射ミラーの配置］
図６は、照明装置３１をＺ方向とは反対方向側から見た図であり、図７は、光源装置４
１Ａ，４１Ｄ、反射ミラー５７Ａ，５７Ｄ、並びに第１レンズ５８を取り外した状態の照
明装置３１をＺ方向とは反対方向側から見た図である。なお、図６及び図７では、反射ミ
ラー５７Ａ〜５７Ｄを破線で示している。
反射ミラー５７Ａは、図４及び図６に示すように、光源装置４１Ａ及び光源装置４１Ｄ
の間に配置され、かつ、光源装置４１Ａに対向する位置に配置される。また、反射ミラー
５７Ｄは、光源装置４１Ａ及び光源装置４１Ｄの間に配置され、かつ、光源装置４１Ｄに
対向する位置に配置される。この反射ミラー５７Ａは、反射ミラー５７ＤよりもＸ方向側
で、かつ、Ｙ方向側に配置され、反射ミラー５７Ｄは、反射ミラー５７ＡよりもＸ方向と
は反対方向側で、かつ、Ｙ方向とは反対方向側に配置される。また、詳しくは後述するが
反射ミラー５７Ａは、図６に示すように、後述する第１レンズ５８の小レンズ５８２Ａに
対応する位置に配置され、反射ミラー５７Ｄは、第１レンズ５８の小レンズ５８２Ｄに対
応する位置に配置される。
【００４５】
反射ミラー５７Ｃは、図４及び図７に示すように、光源装置４１Ｃ及び光源装置４１Ｂ
の間に配置され、かつ、光源装置４１Ｃに対向する位置に配置される。また、反射ミラー
５７Ｂは、光源装置４１Ｃ及び光源装置４１Ｂの間に配置され、かつ、光源装置４１Ｂに
対向する位置に配置される。この反射ミラー５７Ｃは、反射ミラー５７ＢよりもＸ方向側
で、かつ、Ｙ方向とは反対方向側に配置され、反射ミラー５７Ｂは、反射ミラー５７Ｃよ
りもＸ方向とは反対方向側で、かつ、Ｙ方向側に配置される。また、詳しくは後述するが
反射ミラー５７Ｃは、図７に示すように、後述する第２レンズ５９の小レンズ５９２Ｃに
対応する位置に配置され、反射ミラー５７Ｂは、第２レンズ５９の小レンズ５９２Ｂに対
応する位置に配置される。
また、これら反射ミラー５７Ａ〜５７Ｄは、図４に示すように、光源装置４１Ａ〜４１
Ｄからの出射光Ｌ１１〜Ｌ４１に対して、略４５度の角度を持って反射装置５内に配置さ
れる。
【００４６】
［第１レンズの構成及び配置］
図８は、第１レンズ５８をＺ方向とは反対方向側から見た図である。
第１レンズ５８は、図８に示すように、基板５８１、小レンズ５８２Ａ，５８２Ｄを備
える。これら小レンズ５８２Ａ，５８２Ｄは、所定の曲率で突出する形状であり、入射さ
れた光を平行化する機能を有する。なお、小レンズ５８２Ａ，５８２Ｄの曲率は、略同一
に設定される。
また、基板５８１は、矩形板状に形成され、当該基板５８１のＺ方向とは反対方向側の
面には、小レンズ５８２Ａ，５８２Ｄが形成されている。具体的に、小レンズ５８２Ａは
、当該基板５８１の最もＸ方向側で、かつ、最もＹ方向側に位置し、上記反射ミラー５７
Ａに対向する位置に形成されている。また、小レンズ５８２Ｄは、当該基板５８１の最も
Ｘ方向とは反対方向側で、かつ、最もＹ方向とは反対方向側に位置し、上記反射ミラー５
７Ｄに対向する位置に形成されている。
この第１レンズ５８は、図２及び図４に示すように、Ｚ方向に沿う方向において、反射
ミラー５７Ａ，５７Ｄと反射ミラー５７Ｂ，５７Ｃの間に配置される。
【００４７】
［第２レンズの構成及び配置］
図９は、第２レンズ５９をＺ方向とは反対方向側から見た図である。
第２レンズ５９は、図９に示すように、基板５９１、小レンズ５９２Ｂ，５９２Ｃを備
える。これら小レンズ５９２Ｂ，５９２Ｃは、上記所定の曲率と異なる曲率で突出する形
状であり、入射された光を平行化する機能を有する。なお、小レンズ５９２Ｂ，５９２Ｃ
の曲率は、略同一に設定される。
基板５９１は、矩形板状に形成され、当該基板５９１のＺ方向とは反対方向側の面には
、小レンズ５９２Ｃ及び小レンズ５９２Ｂが形成されている。具体的に、小レンズ５９２
Ｃは、当該基板５９１の最もＸ方向側で、かつ、最もＹ方向とは反対方向側に位置し、上
記反射ミラー５７Ｃに対向する位置に形成されている。また、小レンズ５９２Ｂは、当該
基板５９１の最もＸ方向とは反対方向側で、かつ、最もＹ方向側に位置し、上記反射ミラ
ー５７Ｃに対向する位置に形成されている。更に、基板５９１の小レンズ５９２Ｂ，５９
２Ｃが形成されていない領域には、透過領域Ａｒ１，Ａｒ２が形成され、当該透過領域Ａ
ｒ１，Ａｒ２は、入射された光を透過させる機能を有する。
また、第２レンズ５９の小レンズ５９２Ｂ，５９２Ｃの曲率は、第１レンズ５８の小レ
ンズ５８２Ａ，５８２Ｄの曲率より小さく設定されている。このため、第２レンズ５９は
、第１レンズ５８に比べて、入射された光の集光率が低い。
この第２レンズ５９は、図２及び図４に示すように、Ｚ方向に沿う方向において、反射
ミラー５７Ｂ，５７ＣよりＺ方向側に配置される。
【００４８】
［光源装置から出射された光の光路］
図４に戻って、光源装置４１Ａから出射された出射光Ｌ１１は、反射ミラー５７Ａの近
傍で集光した光となり、当該反射ミラー５７Ａにより反射された後、広がった出射光Ｌ１
２として小レンズ５８２Ａに入射され、当該小レンズ５８２Ａにより平行化されて基板５
８１から出射される。また、光源装置４１Ｄから出射された出射光Ｌ４１は、図４に示す
ように、反射ミラー５７Ｄの近傍で集光した光となり、当該反射ミラー５７Ｄにより反射
された後、広がった出射光Ｌ４２として小レンズ５８２Ｄに入射され、当該小レンズ５８
２Ｄにより平行化されて基板５８１から出射される。
【００４９】
また、光源装置４１Ｃから出射された出射光Ｌ３１は、図４に示すように、反射ミラー
５７Ｃの近傍で集光した光となり、当該反射ミラー５７Ｃにより反射されることにより若
干広がった光である出射光Ｌ３２として小レンズ５９２Ｃに入射され、当該小レンズ５９
２Ｃにより平行化されて基板５９１から出射される。また、光源装置４１Ｂから出射され
た出射光Ｌ２１は、図４に示すように、反射ミラー５７Ｂの近傍で集光した光となり、当
該反射ミラー５７Ｂにより反射されることにより若干広がった光である出射光Ｌ２２とし
て小レンズ５９２Ｂに入射され、当該小レンズ５９２Ｂにより平行化されて基板５９１か
ら出射される。
更に、小レンズ５９２ＣのＹ方向側の透過領域Ａｒ１には、第１レンズ５８の小レンズ
５８２Ａにより平行化された出射光Ｌ１２が入射される。また、小レンズ５９２ＢのＹ方
向とは反対方向側の透過領域Ａｒ２には、第１レンズ５８の小レンズ５８２Ｄにより平行
化された出射光Ｌ４２が入射される。
【００５０】
このように、上記光源装置４１Ａ〜４１Ｄから出射された出射光Ｌ１１〜Ｌ４１は、上
記反射ミラー５７Ａ〜５７Ｄにより反射され、第１及び第２レンズ５８，５９を介して平
行化された出射光Ｌ１２〜Ｌ４２として、均一化装置３２に向けて出射される。また、上
記のように第２レンズ５９のＸ方向側からは、光源装置４１Ａからの出射光Ｌ１２及び光
源装置４１Ｃからの出射光Ｌ３２が出射され、Ｘ方向とは反対方向側からは、光源装置４
１Ｂからの出射光Ｌ２２及び光源装置４１Ｄからの出射光Ｌ４２が出射されるので、Ｘ方
向側の出射光Ｌ１２，Ｌ３２と、Ｘ方向とは反対方向側の出射光Ｌ２２，Ｌ４２とのバラ
ンスが均等になる。
【００５１】
以上説明した第１実施形態に係るプロジェクター１は、以下の効果を奏する。
光源装置４１Ａ及び光源装置４１Ｂは、互いにずれて配置されるので、当該光源装置４
１Ａ及び光源装置４１Ｂの一方を、他方の照射領域から外れた領域を含むように配置する
ことができる。このため、光源装置４１Ａに入射する光源装置４１Ｂからの出射光Ｌ２１
の量を減少させることができ、かつ、光源装置４１Ｂに入射する光源装置４１Ａからの出
射光Ｌ１１の量を減少させることができる。従って、反対側に配置された光源装置４１Ａ
，４１Ｂからの出射光Ｌ１１，Ｌ２１が入射されることにより、光源装置４１Ａ，４１Ｂ
の温度が上昇することによる発光効率の低下、及び上記出射光に基づく熱及び紫外線によ
る光源装置４１Ａ，４１Ｂの劣化を抑制できる。
【００５２】
光源装置４１Ａ〜４１Ｄのそれぞれが発光管４１１、リフレクター４１２及び収納体４
１３を備えるので、例えば、反対側に配置された光源装置４１Ａ〜４１Ｄからの出射光Ｌ
１１〜Ｌ４１のうちリフレクター４１２に入射する量を減少させることができ、更にリフ
レクター４１２に入射した出射光のうち発光管４１１に至る光の量を減少することができ
る。これによれば、反対側に配置された光源装置４１Ａ〜４１Ｄからの出射光Ｌ１１〜Ｌ
４１が発光管４１１に入射されることにより、当該出射光Ｌ１１〜Ｌ４１に基づく熱及び
紫外線による光源装置４１Ａ〜４１Ｄの劣化を抑制できる。
【００５３】
本実施形態では、光源装置４１Ａ及び光源装置４１Ｂのそれぞれから出射される出射光
Ｌ１１，Ｌ２１の中心軸Ｐ１，Ｐ２が平行であるため、光源装置４１Ａ及び光源装置４１
Ｂからの出射光Ｌ１１，Ｌ２１は、反射装置５に対して同一の角度で入射される。このた
め、光源装置４１Ａ及び光源装置４１Ｂからの出射光Ｌ１１，Ｌ２１に対して反射ミラー
５７Ａ，５７Ｂを互いに４５度として設定できる。これによれば、いずれの反射ミラー５
７Ａ，５７Ｂも角度に対する照射位置の移動量が同じであまり大きく移動しないので、光
源装置４１Ａ、光源装置４１Ｂ及び反射ミラー５７Ａ，５７Ｂの配置を容易に調整できる
。また、光源装置４１Ｃ、光源装置４１Ｄ及び反射ミラー５７Ｃ，５７Ｄも上記と同様に
配置を容易に調整できる。
【００５４】
光源装置４１Ａ及び光源装置４１Ｃに光源装置４１Ｂ及び光源装置４１Ｄから出射され
た出射光Ｌ２１，Ｌ４１が入射されることを抑制でき、光源装置４１Ｂ及び光源装置４１
Ｄに光源装置４１Ａ及び光源装置４１Ｃから出射された出射光Ｌ１１，Ｌ３１が入射され
ることを抑制できる。すなわち、光源装置４１Ａ、光源装置４１Ｂ、光源装置４１Ｃ及び
光源装置４１Ｄのそれぞれに光源装置４１Ａ、光源装置４１Ｂ、光源装置４１Ｃ及び光源
装置４１Ｄのうち入射する出射光Ｌ１１〜Ｌ４１の量を減少させることができる。従って
、上記光に基づく熱及び紫外線による光源装置４１Ａ〜４１Ｄの劣化を確実に抑制できる
。
【００５５】
光源装置４１Ａ及び光源装置４１Ｂは、照明装置３１おいて同じ高さに配置され、光源
装置４１Ｃ及び光源装置４１Ｄは、上記光源装置４１Ａ及び光源装置４１Ｂと異なる高さ
に配置されるので、光源装置４１Ａ、光源装置４１Ｂ、光源装置４１Ｃ及び光源装置４１
Ｄのそれぞれに光源装置４１Ａ、光源装置４１Ｂ、光源装置４１Ｃ及び光源装置４１Ｄの
うち対応する光源装置から出射された出射光Ｌ１１〜Ｌ４１が入射されることを確実に抑
制できる。従って、上記光に基づく熱及び紫外線による光源装置４１Ａ〜４１Ｄの劣化を
確実に抑制できる。
【００５６】
光源装置４１Ａ及び光源装置４１Ｂの上記高さ位置と光源装置４１Ｃ及び光源装置４１
Ｄの上記高さ位置とが異なるので、光源装置４１Ａ、光源装置４１Ｂ、光源装置４１Ｃ及
び光源装置４１Ｄのそれぞれに光源装置４１Ａ、光源装置４１Ｂ、光源装置４１Ｃ及び光
源装置４１Ｄのうち対応する光源装置から出射された出射光Ｌ１１〜Ｌ４１が入射される
ことを確実に抑制できる。従って、上記光に基づく熱及び紫外線による光源装置４１Ａ〜
４１Ｄの劣化を確実に抑制できる。
また、光源装置４１Ｂが光源装置４１Ａから出射される出射光Ｌ１１の中心軸Ｐ１に対
して上記反射方向側に位置している場合において、例えば、光源装置４１Ｂと光源装置４
１Ｃとの中心軸Ｐ２，Ｐ３及び光源装置４１Ａと光源装置４１Ｄとの中心軸Ｐ１，Ｐ４の
少なくともいずれか一方が重なるように配置される場合、上記高さ方向に直交する方向の
寸法は、上記光源装置４１Ａ及び光源装置４１Ｂと光源装置４１Ｃ及び光源装置４１Ｄと
が重なるように配置されていない場合、すなわち、光源装置４１Ｂが光源装置４１Ａから
出射される出射光Ｌ１１の中心軸Ｐ１に対して上記反射方向とは反対方向側に位置してい
る場合に比べて小さくなる。従って、照明装置３１を小型化できる。
【００５７】
Ｙ方向側から見て、光源装置４１Ａ及び光源装置４１Ｄの出射光Ｌ１１，Ｌ４１の中心
軸Ｐ１，Ｐ４が重なり、光源装置４１Ｂ及び光源装置４１Ｃの出射光Ｌ２１，Ｌ３１の中
心軸Ｐ２，Ｐ４が重なるように配置されるので、Ｚ方向の寸法は、上記光源装置４１Ａ及
び光源装置４１Ｄの出射光Ｌ１１，Ｌ４１の中心軸Ｐ１，Ｐ４、並びに、上記光源装置４
１Ｂ及び光源装置４１Ｃの出射光Ｌ２１，Ｌ３１の中心軸Ｐ２，Ｐ３が重ならないように
配置されている場合に比べて小さくなる。従って、照明装置３１を確実に小型化できる。
【００５８】
反射ミラー５７Ａ及び反射ミラー５７Ｄにより反射された出射光Ｌ１２及び出射光Ｌ４
２を第１レンズ５８により平行化して出射させることができる。また、反射ミラー５７Ｂ
及び反射ミラー５７Ｃにより反射された出射光Ｌ２２及び出射光Ｌ３２を第２レンズ５９
により平行化して出射させることができる。
また、第２レンズ５９は、透過領域Ａｒ１，Ａｒ２を有するので、出射光Ｌ２２，Ｌ３
２が入射される平行化レンズ領域と、出射光Ｌ１２，Ｌ４２が入射される透過領域とを有
する１つの部材として構成されるので、照明装置３１内の取り付け及び設置を簡易に実施
できる。これにより、当該照明装置３１がプロジェクター１に採用される場合、上記平行
化された出射光Ｌ１２〜Ｌ４２を電気光学装置３４に供給できる。
【００５９】
ここで、第１レンズ５８は、第２レンズ５９よりもＺ方向とは反対方向側に配置される
ので、第１レンズ５８の小レンズ５８２Ａ，５８２Ｄの曲率と第２レンズ５９の小レンズ
５９２Ｂ，５９２Ｃの曲率とが同一である場合、第１レンズ５８により平行化された光が
照明装置３１から出射される際には、第２レンズ５９により平行化された光に比べて、拡
散するおそれがある。
これに対し、第１レンズ５８の小レンズ５８２Ａ，５８２Ｄの曲率が第２レンズ５９の
小レンズ５９２Ｂ，５９２Ｃの曲率より大きい場合、第１レンズ５８により平行化された
出射光Ｌ１２，Ｌ４２は、第２レンズ５９により平行化された出射光Ｌ２２，Ｌ３２より
若干集光された状態で平行化されるので、第１レンズ５８により平行化された光が拡散し
たとしても、第１レンズ５８により平行化された光と、第２レンズ５９により平行化され
た光とが均一になる可能性を高めることができる。
【００６０】
また、プロジェクター１は、照明装置３１を備えることにより、光源装置４１Ａ〜４１
Ｄの劣化が抑制できるので、照明装置３１、ひいては当該照明装置３１を備えるプロジェ
クター１の劣化を抑制できる。
【００６１】
［第２実施形態］
次に、本発明の第２実施形態について説明する。
本実施形態のプロジェクターは、上記プロジェクター１と同様の構成を備えるが、照明
装置３１の構成が一部異なる。すなわち、本実施形態では、光源装置４１Ａ〜４１Ｄの配
置が異なる。また、上記光源装置４１Ａ〜４１Ｄの配置に合わせて、反射ミラー５７Ａ〜
５７Ｄの配置が異なる。更に、第１及び第２レンズの構成が一部異なる。これらの点にお
いて、本実施形態は第１実施形態と相違する。なお、以下の説明では、既に説明した部分
と同一又は略同一である部分については、同一の符号を付して説明を省略する。
【００６２】
図１０は、本実施形態に係るプロジェクター１Ａを示す概略図である。
照明装置３１Ａは、光源装置４１Ａ〜４１Ｄ、反射ミラー５７Ａ〜５７Ｄ、第１レンズ
５８Ａ及び第２レンズ５９Ａを備える。光源装置４１Ａと光源装置４１Ｂとは、図１０に
示すように、それぞれから出射される出射光Ｌ１１，Ｌ２１が互いに反対方向に出射され
る位置に配置されている。具体的に、光源装置４１Ａは、図１０に示すように、光源装置
４１ＢよりもＸ方向側で、かつＺ方向とは反対方向に位置し、光源装置４１Ｂは、光源装
置４１ＡよりもＸ方向とは反対方向側で、かつ、Ｚ方向側に配置される。すなわち、光源
装置４１Ａと光源装置４１Ｂとは、反射装置５を挟んで対向し、かつ、Ｚ方向に沿う方向
にずれて配置される。
また、光源装置４１Ｃは、光源装置４１ＡのＹ方向とは反対方向側に配置され、光源装
置４１Ｄは、光源装置４１ＢのＹ方向とは反対方向側に配置されている（図１０及び図１
１参照）。すなわち、光源装置４１Ｃ，４１Ｄは、上記光源装置４１Ａ，４１Ｂと同様に
、照明光軸Ａｘを挟んで対向し、かつ、Ｚ方向に沿う方向にずれて配置される。また、光
源装置４１Ａ及び光源装置４１Ｃは、Ｙ方向に沿う方向から見て、当該Ｙ方向に沿って重
なって配置されている。同様に、光源装置４１Ｂ及び光源装置４１Ｄは、Ｙ方向側から見
て、当該Ｙ方向に沿って重なって配置されている。
【００６３】
換言すると、光源装置４１Ａから出射された出射光の照射領域外に光源装置４１Ｂが配
置され、光源装置４１Ｂから出射された出射光の照射領域外に光源装置４１Ａが配置され
る。同様に、光源装置４１Ｃから出射された出射光の照射領域外に光源装置４１Ｄが配置
され、光源装置４１Ｄから出射された出射光の照領域外に光源装置４１Ｃが配置される。
このように、光源装置４１Ａと光源装置４１Ｂ及び光源装置４１Ｃと光源装置４１Ｄのそ
れぞれは、Ｚ方向にずれて配置されるので、光源装置４１Ａ，４１Ｃから出射された出射
光Ｌ１１，Ｌ３１が光源装置４１Ｂ，４１Ｄに入射される可能性が極めて低い。
【００６４】
［反射ミラーの配置］
また、反射ミラー５７Ａ及び反射ミラー５７Ｃは、光源装置４１Ａ及び光源装置４１Ｃ
に対向する位置にそれぞれ配置される。同様に、反射ミラー５７Ｂ及び反射ミラー５７Ｄ
は、光源装置４１Ｂ及び光源装置４１Ｄに対向する位置にそれぞれ配置される。具体的に
、反射ミラー５７Ｃは、反射ミラー５７ＡのＹ方向とは反対方向側に配置され、これら反
射ミラー５７Ａ，５７ＣのＺ方向側には、第１レンズ５８Ａが配置される。また、反射ミ
ラー５７Ｄは、反射ミラー５７ＢのＹ方向とは反対方向側に配置され、これら反射ミラー
５７Ｂ，５７ＤのＺ方向側には、第２レンズ５９Ａが配置される。
【００６５】
図１１は、プロジェクター１Ａの照明装置３１ＡをＺ方向とは反対方向側から見た図で
ある。なお、図１１では、反射ミラー５７Ａ，５７Ｃを破線で示している。
反射ミラー５７Ａは、図１１に示すように、光源装置４１Ａに対向し、かつ、第１レン
ズ５８Ａの小レンズ５８２Ａに対応する位置に配置される。また、反射ミラー５７Ｃは、
光源装置４１Ｃに対向し、かつ、第１レンズ５８Ａの小レンズ５８２Ｃに対応する位置に
配置される。
【００６６】
図１２は、反射ミラー５７Ａ，５７Ｃ及び第１レンズ５８Ａを取り外した状態の照明装
置３１ＡをＺ方向とは反対方向側から見た図である。なお、図１２では、反射ミラー５７
Ｂ，５７Ｄを破線で示している。
反射ミラー５７Ｂは、図１２に示すように、光源装置４１Ｂに対向し、かつ、第２レン
ズ５９Ａの小レンズ５９２Ｂに対応する位置に配置される。また、反射ミラー５７Ｄは、
光源装置４１Ｄに対向し、かつ、第２レンズ５９Ａの小レンズ５９２Ｄに対応する位置に
配置される。
【００６７】
［第１レンズの構成］
第１レンズ５８Ａは、図１１に示すように、基板５８１、小レンズ５８２Ａ及び小レン
ズ５８２Ｃを備える。基板５８１のＺ方向とは反対方向側の面には、小レンズ５８２Ａ，
５８２Ｃが形成され、これらのうち小レンズ５８２Ａは、当該基板５８１の最もＸ方向側
で、かつ、最もＹ方向側に位置し、上記反射ミラー５７Ａに対向する位置に形成されてい
る。また、小レンズ５８２Ｃは、当該基板５８１の最もＸ方側で、かつ、最もＹ方向とは
反対方向側に位置し、上記反射ミラー５７Ｃに対向する位置に形成されている。
【００６８】
［第２レンズの構成］
第２レンズ５９Ａは、図１２に示すように、基板５９１、小レンズ５９２Ｂ及び小レン
ズ５９２Ｄを備える。基板５９１のＺ方向とは反対方向側の面には、小レンズ５９２Ｂ及
び小レンズ５９２Ｄが形成され、これらのうち、小レンズ５９２Ｂは、当該基板５９１の
最もＸ方向とは反対方向側で、かつ、最もＹ方向側に位置し、上記反射ミラー５７Ｂに対
向する位置に形成されている。また、小レンズ５９２Ｄは、当該基板５９１の最もＸ方向
とは反対方向側で、かつ、最もＹ方向とは反対方向側に位置し、上記反射ミラー５７Ｄに
対向する位置に形成されている。
また、基板５９１の小レンズ５９２Ｂ，５９２Ｄが形成されていない透過領域Ａｒ１，
Ａｒ３は、入射された光を透過させる機能を有する。具体的に、小レンズ５９２ＡのＸ方
向側の透過領域Ａｒ１には、第１レンズ５８Ａの小レンズ５８２Ａにより平行化された出
射光Ｌ１２が入射される。また、小レンズ５９２ＤのＸ方向側の透過領域Ａｒ３には、第
１レンズ５８Ａの小レンズ５８２Ｃにより平行化された出射光Ｌ３２が入射される。
なお、これら小レンズ５９２Ｂ，５９２Ｄは、上記小レンズ５９２Ａ，５９２Ｃと異な
る曲率で突出する形状である。すなわち、これら小レンズ５９２Ｂ，５９２Ｄの曲率は、
第１レンズ５８Ａの小レンズ５８２Ａ，５８２Ｃの曲率より小さく設定されている。
【００６９】
［光源装置から出射された光の光路］
光源装置４１Ａから出射された出射光Ｌ１１は、反射ミラー５７Ａにより反射され、出
射光Ｌ１２として小レンズ５８２Ａに入射され、当該小レンズ５８２Ａにより平行化され
て基板５８１から出射される。また、光源装置４１Ｃから出射された出射光Ｌ３１は、反
射ミラー５７Ｃにより反射され、出射光Ｌ３２として小レンズ５８２Ｃに入射され、当該
小レンズ５８２Ｃにより平行化されて基板５８１から出射される。
また、光源装置４１Ｂから出射された出射光Ｌ２１は、反射ミラー５７Ｂにより反射さ
れ、出射光Ｌ２２として小レンズ５９２Ｂに入射され、当該小レンズ５９２Ｂにより平行
化されて基板５９１から出射される。また、光源装置４１Ｄから出射された出射光Ｌ４１
は、反射ミラー５７Ｄにより反射され、出射光Ｌ４２として小レンズ５９２Ｄに入射され
、当該小レンズ５９２Ｄにより平行化されて基板５９１から出射される。
【００７０】
このように、上記光源装置４１Ａ〜４１Ｄから出射された出射光Ｌ１１〜Ｌ４１は、上
記反射ミラー５７Ａ〜５７Ｄにより反射され、第１及び第２レンズ５８Ａ，５９Ａを介し
て平行化された出射光Ｌ１２〜Ｌ４２として、均一化装置３２に向けて出射される。
【００７１】
以上説明した本実施形態に係るプロジェクター１Ａは、上記第１実施形態に係るプロジ
ェクター１と同様の効果を奏する他、以下の効果を奏する。
光源装置４１Ａが光源装置４１ＣとＹ方向に並んで配置され、かつ、光源装置４１Ｂが
光源装置４１ＤとＹ方向に並んで配置される。このため、光源装置４１Ａ、光源装置４１
Ｂ、光源装置４１Ｃ及び光源装置４１Ｄのそれぞれに光源装置４１Ａ、光源装置４１Ｂ、
光源装置４１Ｃ及び光源装置４１Ｄのうち対応する光源装置から出射された出射光Ｌ１１
〜Ｌ４１のうち入射される出射光Ｌ１１〜Ｌ４１の量を確実に減少させることができる。
従って、上記光に基づく熱及び紫外線による光源装置４１Ａ〜４１Ｄの劣化を確実に抑制
できる。
また、光源装置４１Ａ及び光源装置４１Ｂのうち一方の出射光が他方に入射しない程度
に、これら光源装置４１Ａ及び光源装置４１Ｂの反射方向における互いの配置位置を近付
けることができ、かつ、光源装置４１Ｃ及び光源装置４１Ｄの反射方向における互いの配
置位置を近付けることができるので、光源装置４１Ａ、光源装置４１Ｂ、光源装置４１Ｃ
及び光源装置４１ＤのそれぞれがＺ方向にずれて配置される場合に比べて、照明装置３１
のＺ方向における寸法を小さくできる。従って、照明装置３１を小型化できる。
【００７２】
Ｙ方向から見て、光源装置４１Ａ及び光源装置４１Ｃのそれぞれの出射光Ｌ１１，Ｌ３
１の中心軸Ｐ１，Ｐ３は重なり、かつ、光源装置４１Ｂ及び光源装置４１Ｄのそれぞれの
出射光Ｌ２１，Ｌ４１の中心軸Ｐ２，Ｐ４は重なるので、上記第１実施形態の照明装置３
１に比べて、照明装置３１ＡのＺ方向に沿う方向の寸法をより小さくできる。従って、照
明装置３１をより小型化できる。
【００７３】
反射ミラー５７Ａ及び反射ミラー５７Ｃにより反射された光源装置４１Ａ光及び光源装
置４１Ｃの出射光Ｌ１２，Ｌ３２を第１レンズ５８Ａにより平行化して出射させることが
できる。また、反射ミラー５７Ｂ及び反射ミラー５７Ｄにより反射された光源装置４１Ｂ
及び光源装置４１Ｄの出射光Ｌ２２，Ｌ４２を第２レンズ５９Ａにより平行化して出射さ
せることができる。
また、第２レンズ５９Ａが平行化された光源装置４１Ａ及び光源装置４１Ｃの出射光Ｌ
１２，Ｌ３２を透過させる透過領域Ａｒ１，Ａｒ３を有するので、出射光Ｌ１２，Ｌ３２
が入射される平行化レンズ領域と、出射光Ｌ２２，Ｌ４２が透過される透過領域とを有す
る１つの部材として、第２レンズ５９Ａを構成できる。これにより、第２レンズ５９Ａの
取り付け及び設置を簡易に実施できる。これにより、当該照明装置３１Ａが採用されたプ
ロジェクター１Ａでは、上記平行化された出射光Ｌ１２〜Ｌ４２を電気光学装置３４に供
給できる。
【００７４】
［第３実施形態］
次に、本発明の第３実施形態について説明する。
本実施形態のプロジェクターは、上記プロジェクター１と同様の構成を備えるが、照明
装置３１の構成が一部異なる。すなわち、本実施形態では、光源装置４１Ａ、光源装置４
１Ｄ、反射ミラー５７Ａ、反射ミラー５７Ｄ及び第１レンズ５８を備えていない。また、
第２レンズ５９に代えて第３レンズを備える。これらの点において、本実施形態は第１実
施形態と相違する。なお、以下の説明では、既に説明した部分と同一又は略同一である部
分については、同一の符号を付して説明を省略する。
【００７５】
図１３は、本実施形態に係るプロジェクター１Ｂを示す概略図である。
照明装置３１Ｂは、図１３に示すように、光源装置４１Ｂ，４１Ｃ、反射ミラー５７Ｂ
，５７Ｃ、並びに、第３レンズ５６を備える。
光源装置４１Ｂは、上述したように、光源装置４１ＣよりＹ方向側に位置している。す
なわち、光源装置４１Ｂは、当該光源装置４１Ｂの開口部４１３１に光源装置４１Ｃの開
口部４１３１から出射される出射光Ｌ３１が入射しない距離Ｙ方向にずれた位置（光源装
置４１Ｃの照射領域から外れた領域を含む位置）に配置される。このように、光源装置４
１Ｂ及び光源装置４１Ｃのそれぞれは、Ｙ方向に沿う方向にずれて配置されるので、光源
装置４１Ｃから出射された出射光Ｌ３１が光源装置４１Ｂに入射する可能性、並びに、光
源装置４１Ｂから出射された出射光Ｌ２１が光源装置４１Ｃに入射する可能性が極めて低
い。
【００７６】
第３レンズ５６は、上記第２レンズ５９と異なり、光源装置４１Ａ〜４１Ｄのそれぞれ
から出射された出射光Ｌ１２〜Ｌ４２のそれぞれが入射される小レンズを備えていない。
すなわち、光源装置４１Ｂから出射された出射光Ｌ２１及び光源装置４１Ｃから出射され
た出射光Ｌ３１は、反射ミラー５７Ｂ，５７Ｃにより反射され、出射光Ｌ２２，Ｌ３２と
して第３レンズ５６に入射される。このため、第３レンズ５６は、上記入射された出射光
Ｌ２２，Ｌ３２を平行化して、均一化装置３２に向けて出射する。また、第３レンズ５６
からは、光源装置４１Ｂからの出射光Ｌ２２及び光源装置４１ＣからのＬ３２が合成され
て出射されるので、均一化装置３２に入射される光の強度にムラが生じる可能性は低い。
【００７７】
以上説明したプロジェクター１Ｂによれば、上記第１実施形態に係るプロジェクター１
と同様の効果を奏する他、以下の効果を奏する。
本実施形態では、照明装置３１Ｂは、光源装置４１Ｂ及び光源装置４１Ｃのみを備える
ので、光源装置４１Ａ〜４１Ｄを備えたプロジェクター１に比べて、小型化できる。
また、光源装置４１Ｂから出射された出射光Ｌ２２及び光源装置４１Ｃから出射された
出射光Ｌ３２が第３レンズ５６により合成されて出射されるので、均一化装置３２に入射
される光の強度にムラが生じる可能性を低減できる。
【００７８】
［実施形態の変形］
本発明は、上記各実施形態に限定されるものではなく、本発明の目的を達成できる範囲
での変形、改良等は本発明に含まれるものである。
上記各実施形態では、光源装置４１Ａ，４１Ｂ、並びに光源装置４１Ｃ，４１Ｄは、当
該光源装置４１Ａ〜４１Ｄのそれぞれから出射される出射光の中心軸が平行となるように
照明装置３１内に配置されることとした。しかしながら、本発明は、これに限らない。例
えば、光源装置４１Ａからの出射光Ｌ１１及び光源装置４１Ｂからの出射光Ｌ２１が平行
でなくてもよい。
【００７９】
上記第１及び第２実施形態では、入射された光を平行化する第１レンズ５８若しくは第
１及び第２レンズ５８，５９を備えることとした。しかしながら、本発明は、これに限ら
ない。例えば、第１及び第２実施形態では、これら第１及び第２レンズ５８，５９を備え
なくてもよい。この場合、反射ミラー５７Ａ〜５７Ｄにより反射された出射光Ｌ１２〜Ｌ
４２がそのまま均一化装置３２に供給されてもよい。
また、第１実施形態において、第１レンズ５８を備えず、第１レンズ５８の小レンズ５
８２Ａ，５８２Ｄを第２レンズ５９に設けるようにしてもよい。更に、第２実施形態にお
いて、第１レンズ５８Ａの小レンズ５８２Ａ，５８２Ｃを第２レンズ５９Ａに設けるよう
にしてもよい。これによれば、上記第１及び第２実施形態と同様の効果を奏することがで
きる。
【００８０】
更に、第１レンズ５８，５８Ａに代えて、光源装置４１Ａ〜４１Ｄのそれぞれに対応す
る平行化レンズを４つ設けてもよい。
加えて、第２実施形態では、第２レンズ５９Ａは、透過領域Ａｒ１，Ａｒ３を備えるこ
ととした。しかしながら、本発明は、これに限らない。例えば、基板５９１に透過領域Ａ
ｒ１，Ａｒ３を備えなくてもよい。これによれば、第１レンズ５８Ａにより平行化された
出射光Ｌ１２，Ｌ４２は、当該第２レンズ５９Ａを透過することなく、均一化装置３２に
入射される。また、第１実施形態においても、同様に透過領域Ａｒ１，Ａｒ２を設けない
ようにしてもよい。
【００８１】
上記第１及び第２実施形態では、光源装置４１Ａ〜４１Ｄのそれぞれに対応する反射ミ
ラー５７Ａ〜５７Ｄを設けることとした。しかしながら、本発明は、これに限らない。第
１実施形態では、反射ミラー５７Ａ，５７Ｄ、並びに、反射ミラー５７Ｂ，５７Ｃのそれ
ぞれが一体化した反射ミラーを設けるようにしてもよい。また、第２実施形態では、反射
ミラー５７Ａ，５７Ｃ、並びに反射ミラー５７Ｂ，５７Ｄのそれぞれが一体化した反射ミ
ラーを設けるようにしてもよい。特に第２実施形態では、１枚の反射ミラーにより上記反
射ミラーを構成できるので、部品点数を削減できる。
【００８２】
上記第１実施形態では、光源装置４１Ａ及び光源装置４１ＢのＹ方向の高さ位置は、光
源装置４１Ｃ及び光源装置４１Ｄの高さ位置より高い構成とした。しかしながら、本発明
は、これに限らない。例えば、光源装置４１Ａ及び光源装置４１Ｂの高さ位置が光源装置
４１Ｃ及び光源装置４１Ｄの高さ位置より低くてもよい。
上記第１実施形態では、光源装置４１Ａの高さ位置は、光源装置４１Ｂの高さ位置と略
同一であり、光源装置４１Ｃの高さ位置と光源装置４１Ｄの高さ位置と略同一であること
とした。しかしながら、本発明は、これに限らない。例えば、光源装置４１Ａの高さ位置
が光源装置４１Ｂの高さ位置と異なってもよいし、光源装置４１Ｃの高さ位置が光源装置
４１Ｄの高さ位置と異なってもよい。
【００８３】
上記第１実施形態では、光源装置４１Ａの開口部４１３１と光源装置４１Ｄの開口部４
１３１とは、Ｘ方向に沿う方向から見て一部重なることとした。同様に、光源装置４１Ｂ
の開口部４１３１と光源装置４１Ｃの開口部４１３１とは、Ｘ方向に沿う方向から見て一
部重なることとした。しかしながら、本発明は、これに限らない。例えば、光源装置４１
Ａ及び光源装置４１Ｄのそれぞれの開口部４１３１、並びに、光源装置４１Ｂ及び光源装
置４１Ｃのそれぞれの開口部４１３１がＸ方向に沿う方向から見て重ならないように配置
されてもよい。これによれば、Ｙ方向の寸法は大きくなるが光源装置４１Ａ〜４１Ｄに入
射される出射光Ｌ１１〜Ｌ４１をほぼなくすことができる。
【００８４】
上記第１及び第２実施形態では、第１レンズ５８，５８Ａの小レンズ５８２Ａ，５８２
Ｃ，５８２Ｄと、第２レンズ５９，５９Ａの小レンズ５９２Ｂ,５９２Ｃ，５９２Ｄの曲
率が異なることとした。しかしながら、本発明は、これに限らない。例えば、上記各レン
ズのそれぞれが同一の曲率であってもよい。
【００８５】
上記第１及び第２実施形態では、光源装置４１Ａ〜４１Ｄは、第１ランプユニット４Ａ
及び第２ランプユニット４Ｂに固定され、反射ミラー５７Ａ〜５７Ｄ、第１レンズ５８，
５８Ａ及び第２レンズ５９，５９Ａは、反射装置５内に固定されていることとした。しか
しながら、本発明は、これに限らない。例えば、上記光源装置４１Ａ〜４１Ｄ、反射ミラ
ー５７Ａ〜５７Ｄ、第１レンズ５８，５８Ａ及び第２レンズ５９，５９Ａのそれぞれが照
明装置３１内に固定されていることとしてもよい。
【００８６】
上記各実施形態では、光変調装置として透過型の液晶パネル３４１（３４１Ｒ，３４１
Ｇ，３４１Ｂ）を用いることとした。しかしながら、本発明は、これに限らない。例えば
、透過型の液晶パネル３４１（３４１Ｒ，３４１Ｇ，３４１Ｂ）に代えて、反射型の液晶
パネルを用いてもよい。この場合、色分離装置３３を設けることなく、当該色合成装置３
４４により、色分離及び色合成を実行するようにしてもよい。
【００８７】
上記各実施形態では、プロジェクター１，１Ａ，１Ｂは、３つの液晶パネル３４１（３
４１Ｒ，３４１Ｇ，３４１Ｂ）を備えることとしたが、本発明はこれに限らない。すなわ
ち、２つ以下、あるいは、４つ以上の液晶パネルを用いたプロジェクターにも、本発明を
適用可能である。
また、液晶パネルに代えて、デジタルマイクロミラーデバイス等を用いてもよい。
上記各実施形態では、光源装置４１Ａ〜４１Ｄは、発光管４１１、リフレクター４１２
及び収納体４１３を備えることとした。しかしながら、本発明は、これに限らない。例え
ば、ＬＥＤ（Light Emitting Diode）及びＬＤ（Laser Diode）等であってもよい。
【００８８】
上記第１及び第２実施形態では、プロジェクター１，１Ａは、光源装置４１Ａ〜４１Ｄ
を備えることとした。しかしながら、本発明は、これに限らない。例えば、上記光源装置
は６つであってもよいし８つであってもよい。
また、上記第３実施形態では、光源装置４１Ｃ，４１Ｄを備えることとした。しかしな
がら、本発明は、これに限らない。例えば、上記光源装置４１Ｃ，４１Ｄに代えて、光源
装置４１Ａ及び光源装置４１Ｂを備えることとしてもよい。更に、光源装置４１Ａ及び光
源装置４１Ｄ、若しくは光源装置４１Ｂ及び光源装置４１Ｃを備えることとしてもよい。
上記各実施形態では、画像形成装置３は略Ｕ字状に構成されていたが、本発明はこれに
限らない。例えば、略Ｌ字状に構成された画像形成装置を採用してもよい。
【符号の説明】
【００８９】
１，１Ａ，１Ｂ…プロジェクター、５…反射装置、３１，３１Ａ，３１Ｂ…照明装置、
５７Ａ，５７Ｂ，５７Ｃ，５７Ｄ…反射ミラー（第１〜第４反射部材）、５８，５８Ａ…
第１レンズ、５９，５９Ａ…第２レンズ、４１Ａ，４１Ｂ，４１Ｃ,４１Ｄ…光源装置（
第１〜第４光源）、３４…電気光学装置（画像形成装置）３５…投射光学装置、Ｌ１１，
Ｌ２１，Ｌ３１，Ｌ４１…出射光、Ｌ１２…出射光（第１光源光）、Ｌ２２…出射光（第
２光源光）、Ｌ３２…出射光（第３光源光）、Ｌ４２…出射光（第４光源光）、Ｐ１，Ｐ
２，Ｐ３，Ｐ４…出射光の中心軸。
【図１】
2017003795.tif 000003
【図２】
2017003795.tif 000004
【図３】
2017003795.tif 000005
【図４】
2017003795.tif 000006
【図５】
2017003795.tif 000007
【図６】
2017003795.tif 000008
【図７】
2017003795.tif 000009
【図８】
2017003795.tif 000010
【図９】
2017003795.tif 000011
【図１０】
2017003795.tif 000012
【図１１】
2017003795.tif 000013
【図１２】
2017003795.tif 000014
【図１３】
2017003795.tif 000015